(57)【要約】【課題】今日の技術、特に、ＯＬＥＤスクリーン技術は、フレキシブルなスクリーンが製造されることを可能にする。【解決手段】本発明は、光を出射するフレキシブルなスクリーンを備え等装置に関する。光学セルにより出射される光線の一部は基板層間に閉じ込められ、一の層から他の層への反射はスクリーンの側面から出射する。光電検出器が、入射光を捕捉するようにスクリーンの側面に備えられている。検出器により供給される値及び光を出射するセルの位置に応じて、中央演算処理装置は、スクリーンに適用される屈曲領域を決定する。それ故、スクリーンの特定領域に屈曲を加えることによりコマンドを導入することが可能である。本発明はまた、コマンドの導入のための方法を実行することができる屈曲センサ及びフレキシブルなスクリーンを有する装置に関する。【選択図】図１
2008276227.tif 000002
【特許請求の範囲】
【請求項１】
複数の光ビームを出射する少なくとも１つの基板と、表示されるピクチャを表す前記光ビームの一部が横切る透明基板とを有するフレキシブルなスクリーンに加えられる屈曲を検出する方法であって、
前記光ビームの他の部分は、前記透明基板の少なくとも１つの側面から出射するように前記透明基板内で反射され、前記方法は、前記スクリーンの領域と関連する複数のピクチャ表示ステップと、前記基板の少なくとも１つの側面により出射される前記光ビームの発光振幅の複数の検出ステップと、を有し、各々の検出ステップは、前記画像に関連する領域が屈曲の影響下にあるかどうかを判定するように、前記スクリーンにおいて表示されたピクチャからの前記光ビームの前記光振幅を測定する；
ことを特徴とする屈曲を検出する方法。
【請求項２】
請求項１に記載の屈曲を検出する方法であって、加えられた前記屈曲の曲率半径を演繹するように、前記検出ステップの間に供給される値の変化を分析するステップを有する、ことを特徴とする屈曲を検出する方法。
【請求項３】
請求項１又は２に記載の屈曲を検出する方法であって、前記検出器についての前記ピクチャの前記表示は、ユーザにとって可視的でないように十分に高速で切り替わり、前記スクリーンは、残りの時間に他のピクチャを表示する、ことを特徴とする屈曲を検出する方法。
【請求項４】
請求項３に記載の屈曲を検出する方法であって、表示される前記他のピクチャは、加えられた屈曲がコマンドの導入を可能にする領域を規定する、ことを特徴とする屈曲を検出する方法。
【請求項５】
請求項１乃至４の何れか一項に記載の屈曲を検出する方法であって、前記スクリーンはまた、前記光ビームが前記検出器まで透明基板の内部を反射するように、前記光ビームをガイドする前記透明基板内に位置付けられた光導波路を有する、ことを特徴とする屈曲を検出する方法。
【請求項６】
請求項１乃至５の何れか一項に記載の屈曲を検出する方法であって、前記スクリーンは屈曲の影響下に置かれず、前記透明基板内で反射する前記光ビームの測定が行われる、ことを特徴とする屈曲を検出する方法。
【請求項７】
請求項１乃至６の何れか一項に記載の屈曲を検出する方法であって、前記透明基板内で反射する前記の光ビームの測定のための検出器の２つの群が前記スクリーンの２つの対向する側面に備えられ、前記測定は、異なる領域における屈曲が検出されるようにする各々の群により行われる、ことを特徴とする屈曲を検出する方法。
【請求項８】
請求項１乃至７の何れか一項に記載の屈曲を検出する方法であって、前記フレキシブルなスクリーンは、固い面上に与えられたビーズアレイ上に備えられ、前記屈曲は前記ビーズの間の前記スクリーンを変形させることを有する、ことを特徴とする屈曲を検出する方法。
【請求項９】
フレキシブルなピクチャ可視化スクリーンを有する装置であって、該フレキシブルなピクチャ可視化スクリーンは、表示されるピクチャを表す複数の光ビームを出射する少なくとも１つの基板を有する、装置であり、前記光ビームの他の部分は、前記フレキシブルなピクチャ可視化スクリーンの少なくとも１つの側面から出射するように透明な基板内を反射し、前記装置は、前記基板の内部の前記光ビームの光振幅の検出のための検出器を有し、前記光ビームは、前記スクリーンの所定の領域に連続的に表示される複数のピクチャを生成し、各々の検出器は、領域が屈曲の影響下にあるかどうかを判定するように、前記スクリーンの前記領域に表示される各々のピクチャからの前記光ビームの前記光振幅を測定することを特徴とする装置。
【請求項１０】
請求項９に記載の装置であって、前記領域に加えられた屈曲の曲率半径を演繹するように、各々のピクチャからの前記光ビームの振幅における変化の分析手段を有する、ことを特徴とする装置。
【請求項１１】
請求項９又は１０に記載の装置であって、前記ピクチャンの前記表示は、ユーザに対して可視的でないように十分に高速で行われ、前記スクリーンは残りの時間に他のピクチャを表示する、ことを特徴とする装置。
【請求項１２】
請求項９乃至１１の何れか一項に記載の装置であって、前記スクリーンはまた、前記光ビームが前記検出器まで透明基板の内部を反射するように、前記光ビームをガイドするように前記透明基板の内側に光導波路を有する、装置。
【請求項１３】
請求項９乃至１２の何れか一項に記載の装置であって、前記スクリーンは屈曲の影響下になく、前記透明基板内で反射する前記光ビームの測定が行われる較正手段を有する、装置。
【請求項１４】
請求項９乃至１３の何れか一項に記載の装置であって、前記透明基板内で反射する前記の光ビームの測定のための検出器の２つの群を有し、前記２つの群は前記スクリーンの２つの対向する側面に備えられ、前記測定は、異なる領域における屈曲が検出されるようにする各々の群により行われる、ことを特徴とする装置。
【請求項１５】
請求項９乃至１４の何れか一項に記載の装置であって、前記フレキシブルなスクリーンは、固い面上に与えられたビーズアレイ上に備えられ、前記屈曲は前記ビーズの間の前記スクリーンを変形させることを有する、ことを特徴とする屈曲を検出する方法。
【発明の詳細な説明】
【技術分野】
【０００１】
本発明は、ピクチャを表示するスクリーンの屈曲を検出する方法及びその方法を実施するスクリーンを有する装置に関する。
【背景技術】
【０００２】
今日、通信の多くは光ファイバにより行われている。光発光器は、透光性材料で作られる光ファイバの内側で光を出射する。その光は、光ファイバの内壁で反射され、一端部から出射し、その一端部において、光は感光体により捕捉される。光ファイバは、十分に大きい屈折率のために、まっすぐなライン上に保たれる必要はなく、光は、光ファイバの内壁で反射され、端部の方への経路を進み続ける。
【０００３】
他の分野においては、固体本体の変形について知る必要がある。例えば、金属ガーダの変形は、それらの金属ガーダに取り付けられた抵抗ネットの値の変化により検出可能である。抵抗値は、屈曲方向に従って、多かれ少なかれ変化する。
【０００４】
他の分野においては、タッチスクリーンにおいて用いられるように意図された圧縮センサが知られている。圧縮性基板の層は、中間層が圧縮される場合に、誘電率が変化するコンデンサを有する。その基板層は、スクリーンの下方の表面に堆積され、領域は区切られている。それらの領域の周囲は、スクリーン上に彫り込まれたスクリーン印刷により、又は表示ラインにより現れる。基板層を検出器のクラスタに接続することにより、圧力の影響下に置かれた領域を検出することが可能である。
【０００５】
近年、フレキシブルな支持部により実現されたフレキシブルなスクリーンが実現している。Ｆｕｊｉ  Ｃｏｍｐａｎｙにより出願され、２００６年２月２３日に公開された米国特許出願公開第２００６／０３９０３１号明細書において、円筒形キャビティを有するカメラについて記載されている。軸の周りに折り曲げられたフレキシブルなスクリーンはキャビティ内に置かれ、スクリーンの側面に固定されたロッドは、ユーザがコンパートメントからスクリーンを取り出して、スクリーンが可視的であるようにスクリーンを広げることを可能にする。カメラにより撮影される写真はその広げられたスクリーン上に表示される。ユーザインタフェースが、フレキシブルなスクリーンに接続された固い部分に備えられているキーにより実現される。フレキシブルなスクリーン技術の中では、ＯＬＥＤ（有機発光ダイオード）スクリーンを引き合いに出すことができる。ＯＬＥＤ装置の構造は、厚さがナノメートルの数十分の一の有機物積層構造を有する。薄く且つフレキシブルな支持部上に堆積させることにより、そのような構造はごく僅かな厚さを有し、それ故、支持部を曲げることに対して連続的な変形を、損傷を伴うことなく、支援することができる。そのような薄い構造は、タッチスクリーンを与えるように、その薄い構造が圧縮性基板を備えることを可能にしない。それにも拘わらず、スクリーンの簡単な屈曲によりコマンドを送信する可能性は、大きいナビゲーションの可能性を与える。上記のように、フレキシブルな材料に抵抗ネットを取り付けることが知られている。しかし。フレキシブルなスクリーンの背後における抵抗ネットの接着は、抵抗における変化の検出器に接続経路の実現を必要としている。そのスクリーン及び抵抗ネットアセンブリは、その場合、脆弱である。
【０００６】
２００５年３月２４日に公開された国際公開第２００５／０２６９３８号パンフレットにおいて、ユーザが圧力を加える平坦なタッチスクリーンについて開示されている。セルは、スクリーンの表面に対して垂直方向にビームを出射する。ユーザは、考慮された領域にユーザの指を近づけ、そのことは、結果的に透明基板内を伝搬する光ビームを反射する効果を有する。側面に置かれた検出器は、指の位置の検出を可能にし、この検出器は、例えば、レンズの前に置かれたＣＣＤラインセンサである。反射する領域の位置を決定するように、多くの検出技術が用いられる。それらの技術の全ては、ユーザが所定の領域に圧力を加えているか否かを検出するように複数のビームエミッタを備えている。それらの技術は、複数のエミッタ及び関連検出器を使用し、そのことにより、押圧されることに感応する表面が大きい場合には、コストパフォーマンスは低くなる。
【特許文献１】米国特許出願公開第２００６／０３９０３１号明細書
【特許文献２】国際公開第２００５／０２６９３８Ａ号パンフレット
【特許文献３】欧州特許第０１４４０８８Ａ号明細書
【特許文献４】仏国特許第２４８０９６７Ａ１号明細書
【特許文献５】国際公開第２００６／１３４５５２Ａ号パンフレット
【特許文献６】国際公開第８６／０３６１８Ａ号パンフレット
【特許文献７】米国特許出願公開第２００５／０４０９６２Ａ１号明細書
【発明の開示】
【発明が解決しようとする課題】
【０００７】
本発明の目的は、改善された信頼性を有するスクリーンの屈曲を検出する他の方法を提案する。
【課題を解決するための手段】
【０００８】
本発明の目的は、複数の光ビームを出射する少なくとも１つの基板と、表示されるピクチャを表す前記光ビームの一部が透過する透明基板と、を有するフレキシブルなスクリーンに加えられた屈曲を検出する方法であって、光ビームの他の部分は、透明基板の少なくとも１つの側面を出射するように透明基板内で反射され、その方法は、スクリーンの領域に関連する複数のピクチャ表示ステップと、基板の少なくとも１つの側面により出射するビームの発光振幅の複数の検出ステップと、を有し、各々の検出ステップは、画像に関連する領域が屈曲の影響下にあるかどうかを判定するように、スクリーンにおける表示ピクチャからのビームの振幅を測定する。
【０００９】
このように、スクリーンにより出射される光は、スクリーンの厚さ内を伝搬する光を測定するように、そしてその測定から、屈曲が加えられた前記スクリーンの領域の位置を演繹するように用いられる。各々の検出ステップは、屈曲が加えられたスクリーンの領域を決定するように、所定のピクチャに関連付けられる。このようにして、スクリーンを走査し、屈曲が加えられるかどうかを領域毎に判定することが可能である。このようにして、新しい入力パラメータをスクリーン管理アプリケーションに供給することが可能である。
【００１０】
他の改善に従って、屈曲の検出についてのピクチャの表示が、ユーザに対して不可視であるように十分に高速に行われ、スクリーンは、残りの時間の間、他のピクチャを表示する。このように、屈曲の検出は高速であり、ユーザが知覚しなければならない他のピクチャの視覚化に影響しない。他の改善に従って、表示されるそれらの他のピクチャは、加えられた屈曲がコマンドの導入を可能にする領域を規定する。このように、スクリーンは、屈曲されている場合に、機能がトリガされる領域を区画することによりタッチ式になる。
【００１１】
他の改善に従って、スクリーンはまた、光ビームが検出器の方に透明基板内を反射するように、光ビームをガイドするように透明基板の内側に光導波路を有する。この方法においては、屈曲の検出はより正確である。他の改善に従って、スクリーンが屈曲の影響下になく、透明基板の内側で反射する光ビームの測定が行われる較正ステップを有する。それ故、スクリーンを平坦に設定することにより、装置は、スクリーンが屈曲されるときに測定される値との比較で用いられる基準値を計算する。
【００１２】
他の改善に従って、透明基板の内部で反射する光ビームを測定する検出器の２つの群がスクリーンの２つの対向する側面に備えられ、各々の群により行われる測定は、異なる屈曲を検出することを可能にする。それ故、スクリーンに加えられる複数の屈曲を検出することが可能である。特定の実施形態に従って、スクリーンは矩形形状であり、少なくとも２つの対向する側面に複数の検出器を有する。他の改善に従って、フレキシブルなスクリーンが、固い表面にそれ自身、与えられたビーズアレイの上に備えられ、屈曲は、それらのビーズの間のスクリーンを歪めるものである。それ故、スクリーンの特定のゾーンに固さを与えるビーズを用いて、領域を区画することにより、スクリーンの製造において、それらの領域を個別にフレキシブルに規定することが可能である。
【００１３】
本発明の目的はまた、ピクチャのフレキシブルな視覚化スクリーンを有する装置であって、前記スクリーンは、表示されるピクチャを表す複数の光ビームを出射する少なくとも１つの基板を有する、装置であり、光ビームの他の一部は、フレキシブルなスクリーンの少なくとも１つの側面から出射するように透明基板内で反射し、その装置は、基板の内部のビームの光振幅の検出のための検出器を有し、光ビームは、スクリーンの所定領域において連続的に表示される複数のピクチャを生成し、各々の検出器は、領域が屈曲の影響下に置かれているかどうかを判定するように、スクリーンのその領域に表示される各々のピクチャからのビームの振幅を測定する、装置である。
【００１４】
本発明の他の特徴及び有利点については、以下、添付図を参照して、例示として与えられる実施形態の詳細説明により明らかになる。
【発明を実施するための最良の形態】
【００１５】
図１を参照するに、先ず、可搬型電子装置、例えば、ＰＤＡ又は可搬型テレビの形で本発明の実施形態の実施例について説明する。他の装置、例えば、ＭＰ３プレーヤ、携帯電話、パソコン、又はディスプレイ及びコマンドを入力する手段を有する何れかの装置がまた、本発明について用いられることが可能である。装置１は、プログラムメモリ３に接続された中央演算処理装置２と、少なくとも数時間の自立性を動作中に与えるバッテリ４とを有する。実行プログラムは、有利であることに、読み取り専用メモリに記録される。その実行プログラムはまた、例えば、ＡＳＩＣ型の特定の回路の形で中央演算処理装置２により実現される。装置１はまた、リアルタイムにオーディオデータ及び／又はビデオデータの受信を可能にする高ビットレートのディジタルバス６との通信のためのインタフェース５を有する。
【００１６】
装置１はまた、ＯＬＥＤ技術で実現される表示スクリーン７を有する。表示管理は専用回路８により実行され、この回路は、メニュー、特に、ナビゲートメニューのスクリーン表示、ピクトグラム（ズームウィンドウ、アイコン）、１つ又はそれ以上のボタンのバー等のオンスクリーン表示を可能にするテキスト及びグラフィクス生成器を有する。表示管理回路は中央演算処理装置２により制御される。スクリーン７は、特定の可撓性がそのスクリーン上で与えられることを可能にする可撓性支持体において製造される。その可撓性支持体は、少なくとも２つの層、即ち、表示されるピクチャを表す複数の光ビームを発光する基板と、それらの光ビームの少なくとも一部が透過する透明基板とを有する。ＯＬＥＤ技術は、スクリーンの動作と同時にスクリーンの屈曲を可能にする。ＯＬＥＤ構造の特異性は、それ自体の内部で発光される光の一部をとラップすることと、横方向にその光を導くことである。それ故、ＯＬＥＤ構造は、光ファイバに匹敵する導波路に類似するものである。
【００１７】
光電検出器９、典型的には、セルが、側面において出射するように透明基板内で反射する入射光線がセルの光電面に直接、衝突するように、スクリーンの側面に備えられている。検出器９は、中央演算処理装置２により用いられることが可能であるディジタル値への検出器９により供給される類似信号の変換のための管理回路１０に電気的に連結されている。
【００１８】
図２は、ＯＬＥＤ発光基板により発光された光の経路を示している。その光の８０％は基板層に取り込まれ、次の比率に従って、種々の媒体において発光された光が消失することが、試験により示されている。
−  有機物層及びＩＴＯ（Ｉｎｄｉｕｍ  Ｔｉｎ  Ｏｘｉｄｅ）において５２％を吸収され、
−  ガラス基板において２６％を吸収され、
−  光の２０％がスクリーンの外側に有効に出射され、
−  ２％は、異なる材料による吸収のために消失する。
【００１９】
図２に示すように、光の一部は、異なる屈折率を有する材料から成る２つの層の間の界面のレベルの反射においてＯＬＥＤ構造の厚さ内で伝搬する。その結果、特定の光の一部がスクリーンの側面から逃げる。少なくとも１つの光感応性検出器が、透明基板内で反射される光の一部を測定するように、その側面において備えられている。屈曲がスクリーンに与えられる場合、より多くの光がスクリーンの内側から逃げ、検出器に向かう部分はより弱くなる。本発明は、スクリーンの側面から出る光を測定することと、前記スクリーンに適用される屈曲の特徴を演繹することを有する。
【００２０】
図３は、スクリーンが平坦に維持される場合に、光発光セルにより発光され、側面から再出射するようにスクリーンの内部を伝搬される光量が最大であることを示している。しかしながら、スクリーンが曲げられている場合、反射角以下の角度によりその曲げられている表面における反射により一部が基板から出るため、光量は低下する。
【００２１】
スクリーン層間を光が伝搬する能力は屈折率に依存する。光発光セルはあまり指向的でなく、１８０度の角度に従ってビームを出射する。光線が、垂直方向を有する特定の角度下で透過性表面に入射するとき、反射光線の角度は屈折率により変化する。ＯＬＥＤスクリーンで用いられる基板の場合、入射光線がスクリーンの内側表面を伝搬する場合に、屈折角の極限値を超え、その光線が基板内で全反射し、それ故、全反射の場合に、スクリーンの２つの表面は導波路としての役割を果たす。しかし、スクリーンが曲げられている場合、入射角は、反射角以下になるまで、なくなり、それ故、光線は、基板層を出て、スクリーンから出射する。スクリーンが、光発光層と光電検出器との間で曲げられているとき、光ビームは検出器に入射しない。この場合、検出器は、最小値ヌル値の受け入れられる光振幅を供給する。
【００２２】
図４は、光電検出器９を有するスクリーン７を示している。スクリーンの構造はまた、スクリーンの各々の角部に位置付けられている検出器９の方にスクリーンの内部を伝搬する光をその構造が案内することを可能にする複数の波長を有する。導波路は、２００μｍ以下の厚さの構造体である。その場合、光は、それらの構造体及び２つのガラスプレートにより検出器の方に案内される。図４における実施例においては、４つの導波路がスクリーンの厚さ内に備えられ、４つの検出器に連結されている。この構成のおいては、検出器の数が限定されているがまた、屈曲の検出精度を制限されている。
【００２３】
他の構成は、スクリーン７の１つの側面に沿って、検出器９全ての行を備えることにより、スクリーンのクロスハッチング全部を網羅することができる。導波路の幅は５乃至２５個の要素画素をカバーすることができることが、実験により明らかになった。導波路の幅は、好ましい屈曲の位置の精度と、この屈曲が実行される手段と、に依存し、手による屈曲は１ｃｍ以下であり、導波路は広い。しかしながら、ユーザがスタイラス（その接触端部はｍｍ２のオーダーである）を利用する場合、あまり広くない複数の導波路を必要とする。それらの導波路は、各々の導波路自体の少なくとも一端部が光電検出器と対向するように備えられている。有利であることに、光電検出器の光感応性表面は、導波路の形状と適合されるように矩形形状を有する。その導波路の他の形状、例えば、線状、円形状、多角形状等が可能である。検出器の光感応性表面を、１μｍ２の数十分の一乃至数ｍｍ２の範囲内で変えることができる。
【００２４】
光ビームの遮断は、屈曲領域が位置決めされることを可能にする。遮断領域を位置決めするように、管理回路８は、グラフィカルパターンの表示のために光を伝え、その場合、管理回路１０は、各々の検出器により検知された光振幅を解析する。検出器９により供給される値が標準的な値よりかなり小さい場合、その光ビームは、この検出器９とグラフィカルパターンを表示するスクリーンの領域との間で遮断される。屈曲領域を正確に位置決めするように、中央演算処理装置は、表示管理回路８に、スクリーンの走査及び検出器管理回路の各々の変化の測定を実行するように命令する。有利であることに、グラフィカルパターンは、ラインの幅が導波路の幅に相当するラインであり、このようにして、スクリーンの矩形部分が解析され、このことは、屈曲情報を用いるアプリケーションに対してより容易な活用可能な結果を与える。
【００２５】
管理回路１０は、検出器９により実現される測定に対応する値のテーブルを中央演算処理装置２に供給する。検出器管理回路により供給される値及びスクリーン上に表示されるグラフィカルパターンに従って、中央演算処理装置２は、屈曲がもたらされた場合に、スクリーンの領域を決定する。好適な実施形態に従って、検出器９は、スクリーン７の左側に置かれている。一辺が１２ｃｍの四角形のスクリーンについて、１０ｘ１０のマトリクスは、スクリーンの屈曲された領域を特定するには十分である。スクリーンは１０ライン及び１０列に分割され、従って、１００領域に明確に区分されている。この実施例に従って、照明されるラインがスクリーンの幅のせいぜい十分の一であるため、一の列は、それ故、スクリーンの十分の一に相当する。走査は左から右に行われ、最初の走査は、スクリーンの左端に位置している列１の照明を有する。検出器９は、中央演算処理装置に、各々の値がラインに対応している１０個の値の群を送る。１０個の検出器の各々により供給される値は、受け入れられた光量に比例する。列１の後、最初の列の右側に位置している２番目の列が照明され、スクリーンの右側における最後の列１０まで、それが繰り返される。測定全てが行われたとき、機能しているメモリは１０個の値の群を１０個、有する。
【００２６】
１０個の列の走査を追跡する検出器により供給される値のテーブルを、次に示す。
【００２７】
【表１】
2008276227.tif 000003
中央演算処理装置２は、所定のラインについて、一の列と次の列との間の値ずれを分析し、次いで、先行する列について値のずれが最大値を有する列を探す。テーブルに例示している実施例においては、列５の値は、後続の列６の値と最大値の違いを有する。実際には、列１、２、３、４及び５が照明されるとき、左側に位置している検出器は、発光振幅値が最大であるため、スクリーンを横断して伝搬する光全てを受け入れる。列６から、受け入れられる光量は準ヌルである。従って、光は、列５のレベルに位置している連続的に且つ鉛直方向の屈曲により遮蔽される。スクリーン表示を管理するアプリケーションは、検出された屈曲の位置を考慮し、検出された屈曲の位置に従って表示されるピクチャを修正する。スクリーンの走査は、ユーザが知覚可能でないように短時間で行われ、典型的には、各々の列は１ｍｓｅｃの間、照明され、走査は１０ｍｓｅｃ続き、１ｓｅｃ当たり丁度一回、行われる。従って、その走査は時間の１％のみを占め、それ故、ユーザには知覚されない。より高い分解、例えば、１００列の走査については、約１０ｍｓｅｃの値だけ完全な走査を維持するように、列の照明の持続時間を減少させる必要がある。
【００２８】
このようにして、中央演算処理装置２は、装置１が可搬型テレビ機能を有する場合に、屈曲の影響下に置かれたスクリーンの領域を決定し、メモリ３における実行プログラムは、ユーザが視聴番組を選択することを可能にする電子番組案内アプリケーションを有する。ディジタルバス６により送信される及びインタフェース５により受信されるプログラムは、スクリーン７上に表示されるリストにより選択されることが可能である。番組識別子が表示されるゾーンにおける屈曲は番組の選択を可能にする。
【００２９】
測定の高信頼性を確実にするように、特に一技術は、学習操作を実行することを有する。最初に、ユーザは、メニューによりスクリーン学習ステップをアクティブにし、このことは、次のメッセージ、“３秒間、学習し、スクリーンを完全に平坦に設定してください”をトリガする。その場合、ユーザは、屈曲全てを除去するように、念入りにスクリーンを平坦な表面に設定する。３秒後、走査により、スクリーンが屈曲されていないとき、各々の列について検出器の値を測定する。従って、中央演算処理装置は、検出器の値の基準表を記憶していて、この表は表１の構造と同じ構造を有する。その場合、通常操作における走査中に、中央演算処理装置は、対応する基準値と、検出器により測定された現在の値を比較し、比｜（測定値ｘ１０）／基準値｜を計算する。その計算の結果は表１に入れられ、屈曲ゾーンを決定するように処理される。
【００３０】
スクリーン及び測定装置はまた、スクリーンにおける１つのオフプレスが検出されることを可能にする。ユーザは、軟らかい表面（プラスチック）においてスクリーンオンを設定し、ユーザの指又はスタイラスを用いてスクリーンの特定領域を押す。列における屈曲を検出することに代えて、中央演算処理装置は、スクリーンの小さい領域における屈曲を検出する。次の表２はそのような場合について示している。
【００３１】
【表２】
2008276227.tif 000004
表２により例示している実施例においては、列７の値は、スクリーンの最上部からライン３及び４と番号付けされたラインのみに対して、次の列８の値との間でより大きいずれを有する。それ故、中央演算処理装置は、スクリーン７の右上に位置している領域でスクリーンが歪んでいることを演繹する。
【００３２】
中央演算処理装置２は、メモリ３に記録されているアプリケーションを実行する。そのアプリケーションは、領域が区画されたスクリーンにおいてメニュー及びグラフィックスを表示する。ユーザは、コマンドを導入するようにそれらの領域に屈曲を加える。例えば、写真処理アプリケーションはピクチャを表示し、スクリーンに加えられた屈曲に従って、そのピクチャは歪められる。一実施例においては、屈曲領域が集中している写真の一部においてズームをもたらすように、ユーザがユーザ自身の方にスクリーンを曲げることを有する。屈曲領域の検出方法はまた、屈曲の特徴、例えば、曲率半径を検出することが可能である。一の列から他の列への値の変化が大きい場合、その曲率半径はかなり明確である。１０ｃｍの幅のスクリーンについては、２つの連続する列の間の“２”乃至“９”の範囲内の値の変化は、その変化が４つの列に関して“２”乃至“９”の範囲内で起こる場合に、１ｃｍの曲率半径に対応し、その半径は約４ｃｍである。その結果、中央演算処理装置は、入力パラメータとして曲率半径を使用し、例えば、曲率半径は、上記のアプリケーションについてズームの拡大値を規定する。
【００３３】
改善に従って、検出器は、スクリーンの各々の側面に備えられ、このような方法で、複数の屈曲を検出することが可能である。次のような、１０列の走査に従う値の表は、左側（１番目）の検出器９及び右側（２番目）の検出器９により供給される値の椎を有する。これは、２つの屈曲がスクリーンにおいて加えられた場合の値の表の実施例を示している。
【００３４】
【表３】
2008276227.tif 000005
表３による例示としての実施例においては、スクリーン７の左側における検出器９により供給される列３の値は、次の列４の値と比べて最も大きい変化を有し、従って、中央演算処理装置は、列３のレベルにおいて、第１の屈曲の存在とその曲率半径が短いことを演繹する。スクリーン８の右側における検出器９により供給される列７、８及び９の値はまた、変化を示し、従って、中央演算処理装置は、その変化が３つの列に関係するため、列８に集中した第２の屈曲を演繹し、曲率半径は大きいことを演繹する。
【００３５】
好適な実施形態に従って、ＯＬＥＤ型スクリーンは、ハンドルを握ることにより、ユーザはスクリーンに屈曲を与えることができるように、左側及び右側の２つのハンドルにより定められる。例えば、対象物を支持するコンパートメントを有し、軸の周りに折り曲げることができるＯＬＥＤスクリーンを有するディジタル写真装置のような本発明の他の実施形態がまた、可能である。ユーザは、側面において引っ張ることによりコンパートメントからスクリーンを引き出し、スクリーンに屈曲を与えることによりコマンドを導入する。
【００３６】
図５は、固い表面上に与えられたビーズアレイの上にフレキシブルなスクリーンを備えている本発明の他の実施形態を示している。ユーザは、２つのビーズの間に位置付けられている領域に圧力を加え、そのことは、屈曲に対して局所的に圧力の影響下に置くことによりスクリーンに歪みを与える。側面に置かれている光電検出器はスクリーンに与えられる屈曲を測定する。
【００３７】
本発明について、特定の例示としての実施形態を参照して詳述しているが、本発明は、それらの実施形態に限定されるものではなく、同時提出の特許請求の範囲のみにより限定される。上記の実施形態に対する他の変形又は修正は、本発明の範囲から逸脱することなく、当業者が行うことが可能である。
【図面の簡単な説明】
【００３８】
【図１】本発明の実施形態に従ったフレキシブルなスクリーンを備えたコマンド導入装置のブロック図である。
【図２】スクリーンの厚さだけ出射される光がとる経路を示す図である。
【図３】スクリーンが平坦であり、スクリーンが屈曲されたときの光波の伝搬原理を示す図である。
【図４】スクリーンの角部にセンサを有するスクリーン構造を示す図である。
【図５】屈曲が加えられたフレキシブルなスクリーンの構造の他の例を示す図である。
【符号の説明】
【００３９】
１    装置
２    中央演算処理装置
３    プログラムメモリ
４    バッテリ
５    ディジタルネットワークインタフェース
６    ディジタルバス
７    表示スクリーン
８    表示管理回路
９    光電検出器
１０  管理回路
【図１】
2008276227.tif 000006
【図２】
2008276227.tif 000007
【図３】
2008276227.tif 000008
【図４】
2008276227.tif 000009
【図５】
2008276227.tif 000010